(57)【特許請求の範囲】
【請求項１】
複数のセルそれぞれにおいて送信される信号の無線品質を測定する移動局と通信を行う通信部と、
前記セルを形成する無線基地局を含むネットワークの負荷に関する負荷情報を取得する取得部と、
前記移動局から前記通信部を介して、前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記通信部を介して、前記測定対象として決定した信号を通知する制御部と、を有し、
前記複数のセルそれぞれにおいて送信される信号は、単位周波数帯域であるコンポーネントキャリアを１または複数含む所定の周波数帯域の信号であり、
前記制御部は、前記移動局のバッテリーの状態を示す情報に基づいて、前記移動局の無線品質の測定対象のコンポーネントキャリアを決定し、前記移動局に前記通信部を介して、前記測定対象のコンポーネントキャリアを示すメッセージを送信する無線基地局。
【請求項２】
前記複数のセルそれぞれにおいて送信される信号は、前記移動局が接続している複数のセルそれぞれからの信号であり、
前記制御部は、前記移動局の無線品質の測定対象の信号を決定し、前記移動局に前記通信部を介して、前記測定対象の信号の周波数帯域および前記測定対象でない信号が送信されるセルとの接続を解放する旨の少なくとも一方を示すメッセージを送信する請求項１記載の無線基地局。
【請求項３】
前記制御部は、前記複数のセルのそれぞれを形成する複数の無線基地局のそれぞれとの間のインタフェースの負荷に応じて、前記移動局の無線品質の測定対象の信号を決定する
請求項１または請求項２に記載の無線基地局。
【請求項４】
前記制御部は、前記複数のセルのそれぞれを形成する複数の無線基地局のそれぞれの制御手段の負荷に応じて、前記移動局の無線品質の測定対象の信号を決定する
請求項１から請求項３のうちいずれか１項に記載の無線基地局。
【請求項５】
前記制御部は、前記移動局によって利用されているサービス応じて、前記移動局の無線品質の測定対象の信号を決定する
請求項１から請求項４のうちいずれか１項に記載の無線基地局。
【請求項６】
前記通信部は、信号の送受信方向および範囲を制御可能であり、
前記制御部は、前記移動局のバッテリーの状態を示す情報に基づいて、前記通信部が前記信号を送受信する範囲を制御する
請求項１から請求項５のうちいずれか１項に記載の無線基地局。
【請求項７】
移動局と、前記移動局と通信を行う無線基地局とを備え、
前記移動局は、複数のセルそれぞれにおいて送信される信号の無線品質を測定し、前記複数のセルそれぞれにおいて送信される信号の無線品質の測定結果および前記移動局のバッテリーの状態を示す情報を前記無線基地局に送信し、
前記無線基地局は、前記セルを形成する無線基地局を含むネットワークの負荷に関する負荷情報を取得し、前記移動局から送信されてきた前記無線品質の測定結果、前記移動局のバッテリーの状態、および、前記取得した負荷情報に基づいて、前記移動局の無線品質の測定対象の信号を決定し、該決定した測定対象の信号を前記移動局に通知し、
前記移動局は、前記無線基地局から通知された信号の無線品質を測定し、
前記複数のセルそれぞれにおいて送信される信号は、単位周波数帯域であるコンポーネントキャリアを１または複数含む所定の周波数帯域の信号であり、
前記移動局のバッテリーの状態を示す情報に基づいて、前記移動局の無線品質の測定対象のコンポーネントキャリアを決定し、前記移動局に、前記測定対象のコンポーネントキャリアを示すメッセージを送信する無線通信システム。
【請求項８】
複数のセルそれぞれにおいて送信される信号の無線品質を測定する移動局と通信を行い、
前記セルを形成する無線基地局を含むネットワークの負荷に関する負荷情報を取得し、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、取得した負荷情報に基づいて、前記移動局の無線品質の測定対象の信号を決定し、前記移動局に前記測定対象として決定した信号を通知し、
前記複数のセルそれぞれにおいて送信される信号は、単位周波数帯域であるコンポーネントキャリアを１または複数含む所定の周波数帯域の信号であり、
前記通知をする場合に、前記移動局のバッテリーの状態を示す情報に基づいて、前記移動局の無線品質の測定対象のコンポーネントキャリアを決定し、前記移動局に、前記測定対象のコンポーネントキャリアを示すメッセージを送信する無線基地局の制御方法。
【請求項９】
無線基地局内のコンピュータに、
複数のセルそれぞれにおいて送信される信号の無線品質を測定する移動局と通信を行う処理と、
前記セルを形成する無線基地局を含むネットワークの負荷に関する負荷情報を取得する処理と、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得する処理で取得した負荷情報に基づいて、前記移動局の無線品質の測定対象の信号を決定し、前記移動局に前記測定対象として決定した信号を通知する処理と、を実行させ、
前記複数のセルそれぞれにおいて送信される信号は、単位周波数帯域であるコンポーネントキャリアを１または複数含む所定の周波数帯域の信号であり、
前記通知する処理で、前記移動局のバッテリーの状態を示す情報に基づいて、前記移動局の無線品質の測定対象のコンポーネントキャリアを決定し、前記移動局に、前記測定対象のコンポーネントキャリアを示すメッセージを送信させるプログラム。
【発明の詳細な説明】
【技術分野】
【０００１】
本発明は、無線基地局、移動局、無線通信システム、無線基地局の制御方法およびプログラムに関する。
【背景技術】
【０００２】
近年、通信方式の異なる複数のネットワークの通信エリアが重畳され、移動局は、いずれかのネットワークに接続して、通信サービスの提供を受けることがある。上述した通信方式としては、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ），ＵＴＲＡＮ（Ｕｎｉｖｅｒｓａｌ  Ｔｅｒｒｅｓｔｒｉａｌ  Ａｃｃｅｓｓ  Ｎｅｔｗｏｒｋ），Ｅ−ＵＴＲＡＮ（Ｅｖｏｌｖｅｄ  ＵＴＲＡＮ）などがある。
近年のトラフッィクの増加に伴い、小型の携帯電話基地局や無線ＬＡＮ（ＷＬＡＮ：Ｗｉｒｅｌｅｓｓ  Ｌｏｃａｌ  Ａｒｅａ  Ｎｅｔｗｏｒｋ）基地局を設置することで、マクロ基地局を備える無線アクセスネットワークの負荷の軽減が図られている。また、無線アクセスネットワークの上位のコアネットワークを介さずに、移動局のトラフッィクを小型の無線基地局や無線ＬＡＮから外部ネットワーク（インターネット）に送ることで、コアネットワークの負荷の軽減が図られている。上述したような異なる通信方式のネットワークを組み合わせて構築されたネットワークは、Ｈｅｔｅｒｏｇｅｎｅｏｕｓ  Ｎｅｔｗｏｒｋ（ＨｅｔＮｅｔ）と称される。
【０００３】
ＨｅｔＮｅｔに関して、非特許文献１（３ＧＰＰ（３ｒｄ  Ｇｅｎｅｒａｔｉｏｎ  Ｐａｒｔｎｅｒｓｈｉｐ  Ｐｒｏｊｅｃｔ）  ＴＲ３７．８３４  ｖ１２．０．０）には、無線ＬＡＮと携帯電話ネットワークとの連携方法が記載されている。この方法においては、移動局は、無線ＬＡＮおよび携帯電話ネットワークの両方から送信される信号の無線品質を測定する。そして、移動局は、携帯電話ネットワークから設定されたポリシーや閾値あるいは携帯電話ネットワークからの指示に従い、無線品質の測定結果などの要素に基づいて接続するネットワークを決定する。
【０００４】
また、特許文献１（特開２００４−２６０４４４号公報）には、ＨｅｔＮｅｔにおいて、処理負荷を低減しつつ、シームレスなハンドオーバを実現するための方法が開示されている。この方法では、移動局は、通信方式の異なる複数のネットワークそれぞれの無線アクセス局からの信号の無線品質を測定し、測定結果に基づいて接続先の無線アクセス局を決定する。無線アクセス局の上位に設けられたネットワーク制御装置は、接続先の無線アクセス局、その無線アクセス局を収容するネットワーク、移動局の移動速度などに基づき、移動局のハンドオーバ動作を制御する。
上述した非特許文献１および特許文献１に記載されている方法では、移動局は、各通信方式のネットワークからの信号の無線品質を測定する必要がある。そのため、移動局の無線品質の測定対象の信号が増え、移動局の消費電力が増大する。【０００５】
そこで、特許文献２（国際公開第２００７／０８０６２７号）には、第３世代移動体通信システム（３Ｇ）、第４世代移動体通信システム（４Ｇ）、３Ｇと４Ｇとの中間的な位置付けのＳｕｐｅｒ３Ｇ（Ｓ３Ｇ）の通信エリアが重畳された無線通信システムにおいて、移動局の消費電力の増大を抑制する方法が記載されている。この方法では、移動局は、バッテリーの残量に応じて、３Ｇ，Ｓ３Ｇ，４Ｇそれぞれの信号から無線品質を測定する信号を選択し、無線品質を測定した信号に対応するネットワークの中から接続先を決定する。無線品質を測定する信号を選択することで、３Ｇ，Ｓ３Ｇ，４Ｇそれぞれの信号の無線品質を測定する場合と比べて、移動局の消費電力の増大を抑制することができる。【０００６】
無線品質の測定対象の増加に起因して、移動局の消費電力が増大するという問題は、ＨｅｔＮｅｔに限られたものではない。この問題は、非特許文献２（３ＧＰＰ  ＴＳ３６．３００  ｖ１２．１．０）で規定されているＣＡ（Ｃａｒｒｉｅｒ  Ａｇｇｒｅｇａｔｉｏｎ）においても生じることがある。
ＣＡとは、最大で２０ＭＨｚのｃｏｍｐｏｎｅｎｔ  ｃａｒｒｉｅｒ（以下、ＣＣと称する）を最大で５つ使ってデータを送受信する技術である。ＣＡでは、移動局は、異なる周波数のＣＣを組み合わせて使用するために、複数の周波数帯域の信号の無線品質を測定する必要があり、移動局の消費電力が増加してしまう。
【０００７】
また、上述した問題は、非特許文献３（３ＧＰＰ  ＴＲ３６．８４２  ｖ１２．０．０）で規定されているＤＣ（Ｄｕａｌ  Ｃｏｎｎｅｃｔｉｖｉｔｙ）においても生じることがある。
ＤＣにおいては、Ｍａｓｔｅｒ  ｅＮＢ（ｅｖｏｌｖｅｄ  ＮｏｄｅＢ）（以下、ＭｅＮＢと称する）と、Ｓｅｃｏｎｄａｒｙ  ｅＮＢ（以下、ＳｅＮＢと称する）とが定義される。そして、移動局は、遠方のＭｅＮＢとの間で制御データを送受信し、近傍のＳｅＮＢとの間でユーザデータを送受信する。ＤＣでは、移動局は、ＭｅＮＢおよびＳｅＮＢそれぞれが形成するセルにおいて送信される信号の無線品質を測定する必要があり、移動局の消費電力が増加してしまう。
【先行技術文献】
【特許文献】
【０００８】
【特許文献１】特開２００４−２６０４４４号公報
【特許文献２】国際公開第２００７／０８０６２７号
【非特許文献】
【０００９】
【非特許文献１】３ＧＰＰ  ＴＲ３７．８３４  ｖ１２．０．０
【非特許文献２】３ＧＰＰ  ＴＳ３６．３００  ｖ１２．１．０
【非特許文献３】３ＧＰＰ  ＴＲ３６．８４２  ｖ１２．０．０
【発明の概要】
【発明が解決しようとする課題】
【００１０】
上述したように、特許文献１および非特許文献１に記載されている方法においては、移動局の消費電力が増大するという問題がある。
特許文献２に記載されている方法では、移動局の消費電力の増大の抑制を図ることはできる。しかし、特許文献２に記載されている方法では、移動局が、無線品質の測定対象の信号を選択し、その測定の結果、接続先を決定する。そのため、特許文献２に記載されている方法では、無線基地局側から、ネットワーク負荷を考慮して、移動局の無線品質の測定対象を制御することができないという問題がある。
例えば、移動局における携帯電話基地局からの信号の無線品質が無線ＬＡＮ基地局からの信号の無線品質よりも優れているが、携帯電話基地局が輻輳しており、移動局からのデータをこれ以上受け入れたくない場合がある。このような場合にも、特許文献２に記載されている方法では、移動局は、携帯電話基地局からの信号を測定対象として選択し、その結果、携帯電話基地局を接続先として決定してしまうことがある。
非特許文献２，３においても、上述した問題に対する十分な検討はなされていない。
本発明の目的は、ネットワーク負荷を考慮して、移動局における無線品質の測定対象を制御し、移動局の消費電力の増大の抑制を図ることができる無線基地局、移動局、無線通信システム、無線基地局の制御方法およびプログラムを提供することにある。
【課題を解決するための手段】
【００１１】
上記目的を達成するために本発明の無線基地局は、
複数のセルそれぞれにおいて送信される信号の無線品質を測定する移動局と通信を行う通信部と、
前記セルを形成する無線基地局を含むネットワークの負荷に関する負荷情報を取得する取得部と、
前記移動局から前記通信部を介して、前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記通信部を介して、前記測定対象として決定した信号を通知する制御部と、を有する。【００１２】
上記目的を達成するために本発明の移動局は、
バッテリーと、
無線基地局と通信を行う通信部と、
複数のセルそれぞれにおいて送信される信号の無線品質を測定する測定部と、
前記通信部を介して、前記測定部の前記複数のセルそれぞれにおいて送信される信号の無線品質の測定結果および前記移動局のバッテリーの状態を示す情報を前記無線基地局に送信し、前記通信部を介して前記無線基地局から、無線品質の測定対象の信号が通知されると、前記測定部に前記通知された信号の無線品質を測定させる制御部と、を有する。【００１３】
上記目的を達成するために本発明の無線通信システムは、
移動局と、前記移動局と通信を行う無線基地局とを備え、
前記移動局は、複数のセルそれぞれにおいて送信される信号の無線品質を測定し、前記複数のセルそれぞれにおいて送信される信号の無線品質の測定結果および前記移動局のバッテリーの状態を示す情報を前記無線基地局に送信し、
前記無線基地局は、前記セルを形成する無線基地局を含むネットワークの負荷に関する負荷情報を取得し、前記移動局から送信されてきた前記無線品質の測定結果、前記移動局のバッテリーの状態、および、前記取得した負荷情報に基づいて、前記移動局の無線品質の測定対象の信号を決定し、該決定した測定対象の信号を前記移動局に通知し、
前記移動局は、前記無線基地局から通知された信号の無線品質を測定する。
【００１４】
上記目的を達成するために本発明の無線基地局の制御方法は、
複数のセルそれぞれにおいて送信される信号の無線品質を測定する移動局と通信を行い、
前記セルを形成する無線基地局を含むネットワークの負荷に関する負荷情報を取得し、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記測定対象として決定した信号を通知する。【００１５】
上記目的を達成するために本発明の記録媒体は、
無線基地局内のコンピュータに、
複数のセルそれぞれにおいて送信される信号の無線品質を測定する移動局と通信を行う処理と、
前記セルを形成する無線基地局を含むネットワークの負荷に関する負荷情報を取得する処理と、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記測定対象として決定した信号を通知する処理と、を実行させるプログラムを記録したコンピュータ読み取り可能な記録媒体である。
【発明の効果】
【００１６】
本発明によれば、ネットワーク負荷を考慮して、移動局における無線品質の測定対象を制御し、移動局の消費電力の増大の抑制を図ることができる。
【図面の簡単な説明】
【００１７】
【図１】本発明の第１の実施形態に係る無線通信システムの構成を示す図である。
【図２】図１に示すＨｅＮＢの要部構成を示すブロック図である。
【図３】図１に示すＵＥの要部構成を示すブロック図である。
【図４】本発明の適用環境の一例を示す図である。
【図５】図１に示すＨｅＮＢおよびＵＥの動作を示すシーケンス図である。
【図６】測定報告の構成の一例を示す図である。
【図７】図２に示す制御部の動作を示すフローチャートである。
【図８】図１に示すＵＥの無線品質の測定対象の信号を示す図である。
【図９】本発明の第２の実施形態に係る無線通信システムの構成を示す図である。
【図１０】図９に示すｅＮＢの要部構成を示すブロック図である。
【図１１】本発明の適用環境の一例を示す図である。
【図１２】図９に示すｅＮＢおよびＵＥの動作を示すシーケンス図である。
【図１３】本発明の第３の実施形態に係る無線通信システムの構成を示す図である。
【図１４】図１３に示すＭｅＮＢの要部構成を示すブロック図である。
【図１５】本発明の適用環境の一例を示す図である。
【図１６】図１３に示すＭｅＮＢおよびＵＥの動作を示すシーケンス図である。
【図１７】本発明に係る無線基地局の他の構成を示すブロック図である。
【図１８】測定報告の構成の他の一例を示す図である。
【発明を実施するための形態】
【００１８】
以下に、本発明を実施するための形態について図面を参照して説明する。
【００１９】
（第１の実施形態）
図１は、本発明の第１の実施形態に係る無線通信システム１の構成を示す図である。
図１に示す無線通信システム１は、ＵＥ（Ｕｓｅｒ  Ｅｑｕｉｐｍｅｎｔ）２と、ＨｅＮＢ（Ｈｏｍｅ  ｅＮＢ）１１と、ＨｅＮＢ−ＧＷ（Ｈｏｍｅ  ｅＮＢ  Ｇａｔｅｗａｙ）１２と、（Ｈ）ｅＮＢ１３，１４と、Ｘ２−ＧＷ１５と、ＥＰＣ（Ｅｖｏｌｖｅｄ  Ｐａｃｋｅｔ  Ｃｏｒｅ）１６と、ＰＧＷ（Ｐａｃｋｅｔ  Ｄａｔａ  Ｎｅｔｗｏｒｋ  Ｇａｔｅｗａｙ）１７と、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）１８と、ＮｏｄｅＢ１９と、ＨＮＢ（Ｈｏｍｅ  ＮｏｄｅＢ）２０と、ＨＮＢ−ＧＷ（Ｈｏｍｅ  ＮｏｄｅＢ  Ｇａｔｅｗａｙ）２１と、ＲＮＣ（Ｒａｄｉｏ  Ｎｅｔｗｏｒｋ  Ｃｏｎｔｒｏｌｌｅｒ）２２と、３ＧＣＮ（３ｒｄ  Ｇｅｎｅｒａｔｉｏｎ  Ｃｏｒｅ  Ｎｅｔｗｏｒｋ）２３と、ＢＴＳ（Ｂａｓｅ  Ｔｒａｎｓｃｅｉｖｅｒ  Ｓｔａｔｉｏｎ）２４と、ＢＳＣ（Ｂａｓｅ  Ｓｔａｔｉｏｎ  Ｃｏｎｔｒｏｌｌｅｒ）２５と、２ＧＣＮ（２ｎｄ  Ｇｅｎｅｒａｔｉｏｎ  Ｃｏｒｅ  Ｎｅｔｗｏｒｋ）２６と、ＷＬＡＮ  ＡＰ（Ｗｉｒｅｌｅｓｓ  Ｌｏｃａｌ  Ａｒｅａ  Ｎｅｔｗｏｒｋ  Ａｃｃｅｓｓ  Ｐｏｉｎｔ）２７と、ｅＰＤＧ（ｅｖｏｌｖｅｄ  Ｐａｃｋｅｔ  Ｄａｔａ  Ｇａｔｅｗａｙ）２８と、ＰＧＷ２９とを有する。
【００２０】
ＨｅＮＢ１１は、ＵＥ２との無線通信が可能な通信エリアであるセルを形成する小型の無線基地局である。ＨｅＮＢは、自身が形成するセルに在圏するＵＥ２とＵｕインタフェースを介してＬＴＥ（Ｌｏｎｇ  Ｔｅｒｍ  Ｅｖｏｌｕｔｉｏｎ）方式で無線通信を行う。
ＨｅＮＢ−ＧＷ１２は、Ｓ１インタフェースを介してＨｅＮＢ１１と接続され、ＨｅＮＢ１１を管理する。
（Ｈ）ｅＮＢ１３，１４は、ＨｅＮＢまたはｅＮＢ（いわゆるマクロ基地局）であり、セルを形成する無線基地局である。（Ｈ）ｅＮＢ１３，１４は、自身が形成するセルに在圏するＵＥ２とＬＴＥ方式で無線通信を行う。（Ｈ）ｅＮＢ１３は、Ｘ２インタフェースを介してＨｅＮＢ１１と接続されている。
Ｘ２−ＧＷ１５は、Ｘ２インタフェースを介してＨｅＮＢ１１および（Ｈ）ｅＮＢ１４と接続されている。Ｘ２−ＧＷ１５は、ＨｅＮＢ１１と（Ｈ）ｅＮＢ１４との間の通信を中継する。
ＨｅＮＢ１１，ＨｅＮＢ−ＧＷ１２，（Ｈ）ｅＮＢ１３，１４およびＸ２−ＧＷ１５は、Ｅ−ＵＴＲＡＮ方式のネットワークであるＥ−ＵＴＲＡＮ３を構成する。
【００２１】
ＥＰＣ１６は、Ｅ−ＵＴＲＡＮ３に対応するコアネットワーク装置である。ＥＰＣ１６は、Ｓ１インタフェースを介して、ＨｅＮＢ−ＧＷ１２および（Ｈ）ｅＮＢ１３，１４と接続されている。ＥＰＣ１６は、認証、移動制御、ベアラ管理、課金、ＱｏＳ（Ｑｕａｌｉｔｙ  ｏｆ  Ｓｅｒｖｉｃｅ）制御などを行う。
ＰＧＷ１７は、ＥＰＣ１６と接続されるとともに、ＳＧｉインタフェースを介してインターネット７と接続されている。ＰＧＷ１７は、Ｅ−ＵＴＲＡＮ３とインターネット７との間でデータ転送などを行う。
ＡＮＤＳＦ１８は、オペレータが規定するポリシー通りにＵＥ２がネットワークを発見して接続するのを支援するためのデータ（例えば、ポリシー）を、Ｓ１４インタフェースを介してＵＥ２に提供する。上述したデータの提供は、ＵＥ２からのａｃｃｅｓｓ  ｎｅｔｗｏｒｋ  ｄｉｓｃｏｖｅｒｙ  ｉｎｆｏｒｍａｔｉｏｎの要求に応じて行われる。
【００２２】
なお、現状では、ＡＮＤＳＦ１８と他のノード（ＨｅＮＢ１１，（Ｈ）ｅＮＢ１３，１４，ＨＮＢ２０，ＲＮＣ２２，ＢＳＣ２５など）との間のインタフェースは規定されていない。以下では、ＡＮＤＳＦ１８と他のノードとの間には、ｌｔｆ−Ｘと称されるインタフェース（ｌｔｆ−Ｘインタフェース）が規定されているものとする。
また、図１において、ＨｅＮＢ−ＧＷ１２は必須の構成ではない。そのため、（Ｈ）ｅＮＢ１３，１４は、ＥＰＣ１６とＨｅＮＢ−ＧＷ１２を介さずに接続されている。また、図１において、Ｘ２−ＧＷ１５は必須の構成ではない。そのため、ＨｅＮＢ１１は、Ｘ２−ＧＷ１５を介することなく、（Ｈ）ｅＮＢ１３と直接、接続されている。
【００２３】
ＮｏｄｅＢ１９は、セルを形成する無線基地局（いわゆるマクロ基地局）である。ＮｏｄｅＢ１９は、自身が形成するセルに在圏するＵＥ２とＵＴＲＡＮ方式で無線通信を行う。
ＨＮＢ２０は、セルを形成する小型の無線基地局である。ＨＮＢ２０は、自身が形成するセルに在圏するＵＥ２とＵＴＲＡＮ方式で無線通信を行う。
ＨＮＢ−ＧＷ２１は、ｌｕｂインタフェースを介してＨＮＢ２０と接続され、ＨＮＢ２０を管理する。
ＲＮＣ２２は、ｌｕｂインタフェースを介してＮｏｄｅＢ１９と接続され、ｌｕｒインタフェースを介してＨＮＢ−ＧＷ２１と接続されている。ＲＮＣ２２は、ＮｏｄｅＢ１９およびＨＮＢ２０の管理、ハンドオーバ制御などを行う。また、ＲＮＣ２２は、ｌｕｒｇインタフェースを介してＢＳＣ２５と接続されている。
ＮｏｄｅＢ１９，ＨＮＢ２０，ＨＮＢ−ＧＷ２１およびＲＮＣ２２は、ＵＴＲＡＮ方式のネットワークであるＵＴＲＡＮ４を構成する。
【００２４】
３ＧＣＮ２３は、ＵＴＲＡＮ４に対応するコアネットワーク装置である。３ＧＣＮ２３は、ｌｕインタフェースを介して、ＨＮＢ−ＧＷ２１およびＲＮＣ２２と接続され、Ｇｉインタフェースを介してインターネット７と接続されている。３ＧＣＮ２３は、ＵＴＲＡＮ４とインターネット７との間でデータ転送などを行う。
【００２５】
ＢＴＳ２４は、セルを形成する無線基地局である。ＢＴＳ２４は、自身が形成するセルに在圏するＵＥ２とＧＳＭ方式で無線通信を行う。
ＢＳＣ２５は、Ａｂｉｓインタフェースを介してＢＴＳ２４と接続され、ＢＴＳ２４の制御などを行う。
ＢＴＳ２４およびＢＳＣ２５は、ＧＳＭ方式のネットワークであるＧＳＭ５を構成する。
【００２６】
２ＧＣＮ２６は、ＧＳＭ５に対応するコアネットワーク装置である。２ＧＣＮ２６は、Ａインタフェースを介してＢＳＣ２５と接続されるとともに、Ｇｉインタフェースを介してインターネット７と接続されている。２ＧＣＮ２６は、ＧＳＭ５とインターネット７との間でデータ転送などを行う。
【００２７】
ＷＬＡＮ  ＡＰ２７は、セルを形成する無線基地局（ＷＬＡＮ基地局）である。ＷＬＡＮ  ＡＰ２７は、自身が形成するセルに在圏するＵＥ２とＷＬＡＮ方式で無線通信を行う。ＷＬＡＮ  ＡＰ２７は、ＷＬＡＮ方式のネットワークであるＷＬＡＮ６を構成する。
【００２８】
ｅＰＤＧ２８は、ＷＬＡＮ６に対応するコアネットワーク装置である。ｅＰＤＧ２８は、ＷＬＡＮ  ＡＰ２７とＰＧＷ２９との間でトラフィックを中継する。
ＰＧＷ２９は、ｅＰＤＧ２８と接続されるとともに、ＳＧｉインタフェースを介してインターネット７と接続されている。ＰＧＷ２９は、ＷＬＡＮ６とインターネット７との間でデータ転送などを行う。
なお、ＷＬＡＮ  ＡＰ２７とＵＥ２との間の無線通信は、ＳＷｕインタフェースあるいはＳ２ｃインタフェースを用いて行われる。ＳＷｕインタフェースが用いられる場合、トラフィックは、ＷＬＡＮ  ＡＰ２７とＰＧＷ２９との間を、Ｓ２ａインタフェースを介して直接流れる場合と、ＳＷｎインタフェース、Ｓ２ｂインタフェースを介してｅＰＤＧ２８を経由して流れる場合とがある。また、Ｓ２ｃインタフェースが用いられる場合、トラフィックは、ＷＬＡＮ  ＡＰ２７とＰＧＷ２９との間を、Ｓ２ｃインタフェースを介して直接流れる場合と、Ｓ２ｃインタフェースを介してｅＰＤＧ２８を経由して流れる場合とがある。
【００２９】
ＵＥ２は、Ｅ−ＵＴＲＡＮ３，ＵＴＲＡＮ４，ＧＳＭ５およびＷＬＡＮ６の各ネットワークを構成する無線基地局と無線通信可能な移動局である。ＵＥ２は、複数のセル（各ネットワークを構成する無線基地局が形成するセル）において送信される信号の無線品質を測定し、測定結果を通信中の無線基地局に送信する。
【００３０】
次に、ＨｅＮＢ１１およびＵＥ２の構成について説明する。なお、他のノードの構成は、当業者によく知られており、また、本発明と直接関係しないため、説明を省略する。
【００３１】
まず、ＨｅＮＢ１１の構成について説明する。
図２は、ＨｅＮＢ１１の要部構成を示すブロック図である。
図２に示すＨｅＮＢ１１は、通信部１０１と、記憶部１０２と、制御部１０３とを有する。記憶部１０２は、取得部の一例である。
通信部１０１は、ＵＥ２と無線通信を行う。
記憶部１０２は、種々の情報を記憶する。また、記憶部１０２は、無線アクセスネットワークであるＥ−ＵＴＲＡＮ３，ＵＴＲＡＮ４，ＧＳＭ５およびＷＬＡＮ６やそれぞれに対応するコアネットワークといった各ネットワークの負荷に関する負荷情報を取得し、記憶する。
制御部１０３は、通信部１０１を介して、複数のセルそれぞれにおいて送信される信号の無線品質の測定結果およびＵＥ２のバッテリーの状態を示す情報をＵＥ２から受信する。制御部１０３は、受信した情報に示される無線品質の測定結果、ＵＥ２のバッテリーの状態および記憶部１０２に記憶されている負荷情報に基づき、ＵＥ２の無線品質の測定対象の信号を決定する。そして、制御部１０３は、通信部１０１を介して、測定対象として決定した信号を示すメッセージをＵＥ２に送信する。
【００３２】
次に、ＵＥ２の構成について説明する。
図３は、ＵＥ２の要部構成を示すブロック図である。
図３に示すＵＥ２は、通信部２０１と、測定部２０２と、記憶部２０３と、バッテリー２０４と、制御部２０５とを有する。
通信部２０１は、無線基地局（ＨｅＮＢ１１，（Ｈ）ｅＮＢ１３，１４，ＮｏｄｅＢ１９，ＨＮＢ２０，ＢＴＳ２４，ＷＬＡＮ  ＡＰ２７）と無線通信を行う。
測定部２０２は、通信部２０１を介して受信した、複数のセル（各ネットワークを構成する無線基地局が形成するセル）において送信される信号の無線品質を測定する。
記憶部２０３は、種々の情報を記憶する。
バッテリー２０４は、ＵＥ２を動作させる電力を供給する。
制御部２０５は、通信部２０１を介して、測定部２０２の無線品質の測定結果およびバッテリー２０４の状態を示す情報をＨｅＮＢ１１に送信する。また、制御部２０５は、通信部２０１を介して、無線品質の測定対象の信号を示すメッセージをＨｅＮＢ１１から受信すると、受信したメッセージに示される信号の無線品質を測定部２０２に測定させる。
【００３３】
次に、ＨｅＮＢ１１およびＵＥ２の動作について説明する。
なお、以下では、図４に示すように、ＵＥ２が、ＨｅＮＢ１１が形成するセルであるＥ−ＵＴＲＡＮセル１１ａに在圏し、ＨｅＮＢ１１と接続（ＲＲＣ（Ｒａｄｉｏ  Ｒｅｓｏｕｒｃｅ  Ｃｏｎｔｒｏｌ）接続）を確立しているとする。また、ＵＥ２は、（Ｈ）ｅＮＢ１３，１４，ＨＮＢ２０，ＢＴＳ２４およびＷＬＡＮ  ＡＰ２７それぞれが形成するセルにも在圏するものとする。以下では、（Ｈ）ｅＮＢ１３，（Ｈ）ｅＮＢ１４，ＨＮＢ２０，ＢＴＳ２４，ＷＬＡＮ  ＡＰ２７が形成するセルをそれぞれ、Ｅ−ＵＴＲＡＮセル１３ａ，Ｅ−ＵＴＲＡＮセル１４ａ，ＵＴＲＡＮセル２０ａ，ＧＳＭセル２４ａ，ＷＬＡＮセル２７ａと称する。また、以下では、Ｅ−ＵＴＲＡＮセル１１ａでは周波数Ｘが使用され、Ｅ−ＵＴＲＡＮセル１３ａでは周波数Ｙが使用され、Ｅ−ＵＴＲＡＮセル１４ａでは周波数Ｚが使用されているものとする。
【００３４】
図５は、ＨｅＮＢ１１およびＵＥ２の動作を示すシーケンス図である。
まず、ＨｅＮＢ１１の制御部１０３は、通信部１０１を介してＵＥ２に、測定報告を要求する（ステップＳ１１）。ここで、制御部１０３は、ＵＥ２が在圏するＥ−ＵＴＲＡＮセル１１ａ，１３ａ，１４ａ，ＵＴＲＡＮセル２０ａ，ＧＳＭセル２４ａおよびＷＬＡＮセル２７ａそれぞれにおいて送信される信号の無線品質の測定を要求する。
【００３５】
また、記憶部１０２は事前に、ネットワークの負荷に関する負荷情報を取得し、記憶している。具体的には、記憶部１０２は、例えば、コアネットワークを構成するＥＰＣ１６，３ＧＣＮ２３，２ＧＣＮ２６，ｅＰＤＧ２８の負荷情報（コアネットワークに関する負荷情報）を取得して記憶する。また、記憶部１０２は、無線アクセスネットワークを構成する（Ｈ）ｅＮＢ１３，１４，ＮｏｄｅＢ１９，ＲＮＣ２２，ＢＴＳ２４，ＢＳＣ２５，ＷＬＡＮ  ＡＰ２７などの負荷情報（無線アクセスネットワークに関する負荷情報）を取得して記憶する。
コアネットワークに関する負荷情報の具体例としては、ＢＨＣＡ（Ｂｕｓｙ  Ｈｏｕｒ  Ｃａｌｌ  Ａｔｔｅｍｐｔｓ）やコネクション数などの情報がある。また、無線アクセスネットワークに関する負荷情報の具体例としては、利用可能な無線資源やインタフェースの容量などがある。
【００３６】
なお、負荷情報は、他の無線基地局や上位装置、管理装置などから取得可能である。負荷情報の具体的な取得方法は、本発明とは直接関係しないため、詳細な説明は省略するが、以下のような方法がある。例えば、非特許文献２で規定されているＲＡＮ  Ｉｎｆｏｒｍａｔｉｏｎ  Ｍａｎａｇｅｍｅｎｔという手順に従い、異なる方式の無線アクセスネットワーク間で利用可能な無線資源の情報を交換する方法がある。また、Ｘ２、図１においては不図示のＨＮＢ間のインタフェースであるｌｕｒｈ，ｌｕｒｇ，ｌｕｒなどのインタフェースを介して、利用可能な無線資源の情報を、同じ方式または異なる方式の無線アクセスネットワーク間で交換する方法がある。
【００３７】
ＨｅＮＢ１１から測定報告が要求されると、ＵＥ２の制御部２０５は、測定報告で指定された各セルにおいて送信される信号の無線品質を測定部２０２に測定させる。なお、無線品質の具体例としては、ＲＳＲＰ（Ｒｅｆｅｒｅｎｃｅ  Ｓｉｇｎａｌ  Ｒｅｃｅｉｖｅｄ  Ｐｏｗｅｒ），ＲＳＲＱ（Ｒｅｆｅｒｅｎｃｅ  Ｓｉｇｎａｌ  Ｒｅｃｅｉｖｅｄ  Ｑｕａｌｉｔｙ），Ｅｃ／Ｉｏ（希望波電力／全受信電力）などがある。制御部２０５は、測定部２０２の測定結果を記憶部２０３に記憶させる。また、制御部２０５は、バッテリー２０４の状態（残量）を測定し、測定結果を記憶部２０３に記憶させる。
【００３８】
次に、制御部２０５は、通信部２０１を介して、記憶部２０３に記憶されている各セルの無線品質の測定結果およびバッテリー２０４の状態（残量）を示す情報を測定報告としてＨｅＮＢ１１に送信する（ステップＳ１３）。
図６は、測定報告の構成の一例を示す図である。
ＵＥ２は、３ＧＰＰ  ＴＳ３６．３３１  ｖ１２．１．０で規定されている測定報告（ＭｅａｓＲｅｓｕｌｔｓ  Ｉｎｆｏｒｍａｔｉｏｎ）に、ｂａｔｔｅｒｙ  Ｌｅｖｅｌというパラメータ（図６の点線部分）を追加した情報を送信する。なお、ｂａｔｔｅｒｙ  Ｌｅｖｅｌは、バッテリー２０４の残量を百分率で示したものである。
【００３９】
図５を再び参照すると、ＨｅＮＢ１１の制御部１０３は、ＵＥ２から送信されてきた測定報告を、通信部１０１を介して受信すると、受信した測定報告を記憶部１０２に記憶させる。制御部１０３は、記憶部１０２に記憶されている測定報告と負荷情報とを評価関数の入力とし、評価関数の出力に基づき、ＵＥ２の無線品質の測定対象の信号を決定する。
【００４０】
図７は、制御部１０３が、無線品質の測定対象の信号を決定する際の動作を示すフローチャートである。
なお、以下では、記憶部１０２に記憶されているコアネットワークの負荷情報は、ＥＰＣ１６，３ＧＣＮ２３，２ＧＣＮ２６，ｅＰＤＧ２８の順に相対的に負荷が大きい旨を示しているものとする。すなわち、各ノードの負荷の相関関係は、ＥＰＣ１６＞３ＧＣＮ２３＞２ＧＣＮ２６＞ｅＰＤＧ２８であるとする。また、記憶部１０２に記憶されている無線アクセスネットワークの無線負荷情報は、ＧＳＭセル２４ａ，ＵＴＲＡＮセル２０ａ，Ｅ−ＵＴＲＡＮセル１３ａ，ＷＬＡＮセル２７ａ，Ｅ−ＵＴＲＡＮセル１４ａの順に相対的に利用可能な無線資源の量が小さい旨を示しているものとする。すなわち、利用可能な無線資源の量の相関関係は、ＧＳＭセル２４ａ＜ＵＴＲＡＮセル２０ａ＜Ｅ−ＵＴＲＡＮセル１３ａ＜ＷＬＡＮセル２７ａ＜Ｅ−ＵＴＲＡＮセル１４ａであるとする。また、以下では、各セルの無線品質は、ＧＳＭセル２４ａ＞ＵＴＲＡＮセル２０ａ＞Ｅ−ＵＴＲＡＮセル１３ａ＞Ｅ−ＵＴＲＡＮセル１４ａ＞ＷＬＡＮセル２７ａであるとする。
【００４１】
各セルの無線品質が、ＧＳＭセル２４ａ＞ＵＴＲＡＮセル２０ａ＞Ｅ−ＵＴＲＡＮセル１３ａ＞Ｅ−ＵＴＲＡＮセル１４ａ＞ＷＬＡＮセル２７ａである場合（ステップＳ２１）、制御部１０３は、ステップＳ２２の処理に進む。
ステップＳ２２では、制御部１０３は、測定報告に示されるＵＥ２のバッテリー２０４の残量が閾値以上であるか否かを判定する。
バッテリー２０４の残量が閾値以上であると判定した場合には（ステップＳ２２：Ｙｅｓ）、制御部１０３は、ＥＰＣ１６，３ＧＣＮ２３，２ＧＣＮ２６の輻輳が閾値以上であるか否かを判定する（ステップＳ２３）。
ＥＰＣ１６，３ＧＣＮ２３，２ＧＣＮ２６の輻輳が閾値以上であると判定した場合には（ステップＳ２３：Ｙｅｓ）、制御部１０３は、後述するステップＳ２５の処理に進む。ＥＰＣ１６，３ＧＣＮ２３，２ＧＣＮ２６の輻輳が閾値以上でないと判定した場合には（ステップＳ２３：Ｎｏ）、制御部１０３は、後述するステップＳ２６の処理に進む。
バッテリー２０４の残量が閾値以上でないと判定した場合には（ステップＳ２２：Ｎｏ）、制御部１０３は、ＥＰＣ１６，３ＧＣＮ２３，２ＧＣＮ２６の輻輳が閾値以上であるか否かを判定する（ステップＳ２４）。
ＥＰＣ１６，３ＧＣＮ２３，２ＧＣＮ２６の輻輳が閾値以上であると判定した場合には（ステップＳ２４：Ｙｅｓ）、制御部１０３は、後述するステップＳ２７の処理に進む。ＥＰＣ１６，３ＧＣＮ２３，２ＧＣＮ２６の輻輳が閾値以上でないと判定した場合には（ステップＳ２４：Ｎｏ）、制御部１０３は、後述するステップＳ２８の処理に進む。
【００４２】
以下では、ステップＳ２５〜Ｓ２８それぞれの処理について説明する。
まず、ステップＳ２５の処理について説明する。
ステップＳ２５の処理が行われる場合、ＵＥ２のバッテリー２０４の残量は閾値以上であり（残量に余裕がある）、ＥＰＣ１６，３ＧＣＮ２３，２ＧＣＮ２６の輻輳が閾値以上である（輻輳している）状態である。
この場合、制御部１０３は、以下のａ）〜ｄ）を考慮して、ＵＥ２の無線品質の測定対象の信号を決定する。
ａ）２ＧＣＮ２６は輻輳しているが、その程度は相対的に小さい（コアネットワークに関する負荷情報）
ｂ）ｅＰＤＧ２８は輻輳していない。
ｃ）利用可能な無線資源は、ＧＳＭセル２４ａでは相対的に小さいが、ＷＬＡＮセル２７ａでは相対的に大きい（無線アクセスネットワークに関する負荷情報）。
ｄ）ＧＳＭセル２４ａの無線品質は相対的に良好であり、ＷＬＡＮセル２７ａの無線品質は相対的に良好でない。
ここで、ｃ）において、ＷＬＡＮセル２７ａの評価が高く（利用可能な無線資源が大きい）、ＧＳＭセル２４ａの評価が低い（利用可能な無線資源が小さい）。また、ｄ）において、ＧＳＭセル２４ａの評価が高く（無線品質が良好）、ＷＬＡＮセル２７ａの評価が低い（無線品質が良好でない）。そのため、ＷＬＡＮセル２７ａおよびＧＳＭセル２４ａの評価の一部あるいは全部が相殺される。しかし、制御部１０３は、ａ）およびｂ）において、ＷＬＡＮセル２７ａおよびＧＳＭセル２４ａの評価が他のセルの評価よりも高いことを考慮し、ＷＬＡＮセル２７ａにおいて送信される信号およびＧＳＭセル２４ａにおいて送信される信号を、無線品質の測定対象の信号として決定する。そして、制御部１０３は、これらの信号をＵＥ２の無線品質の測定対象の信号として決定した旨を記憶部１０２に記憶させる。なお、上述した決定論理は、あくまでも一例であり、制御部１０３は、他の決定論理に従って、ＵＥ２の無線品質の測定対象の信号を決定してもよい。
【００４３】
次に、ステップＳ２６の処理について説明する。
ステップＳ２６の処理が行われる場合、ＵＥ２のバッテリー２０４の残量は閾値以上であり（残量に余裕がある）、ＥＰＣ１６，３ＧＣＮ２３，２ＧＣＮ２６の輻輳が閾値以上でない（輻輳していない）状態である。
この場合、制御部１０３は、以下のａ）〜ｃ）を考慮して、ＵＥ２の無線品質の測定対象の信号を決定する。
ａ）ＥＰＣ１６は輻輳していない。
ｂ）Ｅ−ＵＴＲＡＮセル１３ａおよびＥ−ＵＴＲＡＮセル１４ａは利用可能な無線資源をある程度以上有している（無線アクセスネットワークに関する負荷情報）。
ｃ）Ｅ−ＵＴＲＡＮセル１３ａおよびＥ−ＵＴＲＡＮセル１４ａの無線品質は相対的に悪くない。
ここで、ａ）において、「輻輳していない」という点で、ＧＳＭセル２４ａ、Ｅ−ＵＴＲＡＮセル１３ａおよびＥ−ＵＴＲＡＮ１４ａは同じ評価である。また、ｂ）において、ＧＳＭセル２４ａよりもＥ−ＵＴＲＡＮセル１３ａおよびＥ−ＵＴＲＡＮ１４ａが高評価（利用可能な無線資源が大きい）である。また、ｃ）において、「相対的に悪くない」という点で、ＧＳＭセル２４ａ、Ｅ−ＵＴＲＡＮセル１３ａおよびＥ−ＵＴＲＡＮ１４ａは同じ評価である。これらを考慮した結果、制御部１０３は、Ｅ−ＵＴＲＡＮセル１３ａにおいて送信される周波数Ｙの信号およびＥ−ＵＴＲＡＮセル１４ａにおいて送信される周波数Ｚの信号を、無線品質の測定対象の信号として決定する。そして、制御部１０３は、これらの信号をＵＥ２の無線品質の測定対象の信号として決定した旨を記憶部１０２に記憶させる。なお、上述した決定論理は、あくまでも一例であり、制御部１０３は、他の決定論理に従って、ＵＥ２の無線品質の測定対象の信号を決定してもよい。
【００４４】
次に、ステップＳ２７の処理について説明する。
ステップＳ２７の処理が行われる場合、ＵＥ２のバッテリー２０４の残量は閾値以上でなく（残量に余裕がない）、ＥＰＣ１６，３ＧＣＮ２３，２ＧＣＮ２６の輻輳が閾値以上である（輻輳している）状態である。
この場合、制御部１０３は、以下のａ）〜ｅ）を考慮して、ＵＥ２の無線品質の測定対象の信号を決定する。
ａ）２ＧＣＮ２６は輻輳しているが、その程度は相対的に小さい（コアネットワークに関する負荷情報）。
ｂ）ｅＰＤＧ２８は輻輳していない。
ｃ）利用可能な無線資源は、ＧＳＭセル２４ａでは相対的に小さいが、ＷＬＡＮセル２７ａでは相対的に大きい（無線アクセスネットワークに関する負荷情報）。
ｄ）ＧＳＭセル２４ａの無線品質は相対的に良好であり、ＷＬＡＮセル２７ａの無線品質は相対的に良好でない。
ｅ）バッテリー２０４の残量に余裕がないため、測定対象の信号をできる限り絞り込む必要がある。
ここで、制御部１０３は、上記ａ）〜ｅ）のうち、ｃ）およびｅ）を評価関数において重み付けしてＵＥ２の無線品質の測定対象の信号を決定する。その結果、制御部１０３は、ＷＬＡＮセル２７ａにおいて送信される信号を、無線品質の測定対象として決定する。そして、制御部１０３は、ＷＬＡＮセル２７ａにおいて送信される信号をＵＥ２の無線品質の測定対象の信号として決定した旨を記憶部１０２に記憶させる。
【００４５】
次に、ステップＳ２８の処理について説明する。
ステップＳ２８の処理が行われる場合、ＵＥ２のバッテリー２０４の残量は閾値以上でなく（残量に余裕がない）、ＥＰＣ１６，３ＧＣＮ２３，２ＧＣＮ２６の輻輳が閾値以上でない（輻輳していない）状態である。
この場合、制御部１０３は、以下のａ）〜ｄ）を考慮して、ＵＥ２の無線品質の測定対象の信号を決定する。
ａ）ＥＰＣ１６は輻輳していない。
ｂ）Ｅ−ＵＴＲＡＮセル１３ａおよびＥ−ＵＴＲＡＮセル１４ａは利用可能な無線資源をある程度以上有している（無線アクセスネットワークに関する負荷情報）。
ｃ）Ｅ−ＵＴＲＡＮセル１３ａおよびＥ−ＵＴＲＡＮセル１４ａの無線品質は相対的に悪くなく、かつ、Ｅ−ＵＴＲＡＮセル１３ａの無線品質の方がＥ−ＥＴＲＡＮセル１４ａの無線品質よりも良好である。
ｄ）バッテリー２０４の残量に余裕がないため、測定対象の信号をできる限り絞り込む必要がある。
ここで、制御部１０３は、上記ａ）〜ｄ）のうち、ｃ）およびｄ）を評価関数において重み付けしてＵＥ２の無線品質の測定対象の信号を決定する。その結果、制御部１０３は、Ｅ−ＵＴＲＡＮセル１３ａにおいて送信される周波数Ｙの信号を、無線品質の測定対象の信号として決定する。そして、制御部１０３は、Ｅ−ＵＴＲＡＮセル１３ａにおいて送信される周波数Ｙの信号をＵＥ２の無線品質の測定対象の信号として決定した旨を記憶部１０２に記憶させる。
【００４６】
なお、図７は、各セルの無線品質が、ＧＳＭセル２４ａ＞ＵＴＲＡＮセル２０ａ＞Ｅ−ＵＴＲＡＮセル１３ａ＞Ｅ−ＵＴＲＡＮセル１４ａ＞ＷＬＡＮセル２７ａである場合の、制御部１０３の動作の一例を示したものである。制御部１０３は、各セルの無線品質の状態ごとに、ＵＥ２のバッテリーの状態も考慮した決定論理に従い、ＵＥ２の無線品質の測定対象の信号を決定する。
【００４７】
図５を再び参照すると、制御部１０３は、通信部１０１を介して、記憶部１０２に記憶されている、ＵＥ２の無線品質の測定対象として決定した信号を通知する（ステップＳ１５）。すなわち、制御部１０３は、通信部１０１を介して、無線品質の測定対象として決定した信号の通信方式や周波数を示すメッセージをＵＥ２に送信する。
【００４８】
ＵＥ２の制御部２０５は、通信部２０１を介して、無線品質の測定対象の信号が通知されると、通知された信号の無線品質を測定部２０２に測定させる（ステップＳ１６）。
図８は、ＨｅＮＢ１１からの通知の前後のＵＥ２の無線品質の測定対象を示す図である。図８においては、無線品質の測定対象の信号として、ＷＬＡＮセル２７ａにおいて送信される信号とＧＳＭセル２４ａにおいて送信される信号とが通知されたものとする。
図８に示すように、ＨｅＮＢ１１からの通知前は、ＵＥ２は、Ｅ−ＵＴＲＡＮセル１１ａ，１３ａ，１４ａ，ＵＴＲＡＮセル２０ａ，ＧＳＭセル２４ａ，ＷＬＡＮセル２７ａそれぞれの無線品質を測定している。一方、ＨｅＮＢ１１からの通知後は、ＵＥ２は、ＧＳＭセル２４ａおよびＷＬＡＮセル２７ａの無線品質だけを測定する。そのため、無線品質の測定対象の信号が減り、ＵＥ２の消費電力の増大を抑制することができる。
【００４９】
このように本実施形態によれば、ＨｅＮＢ１１は、ＵＥ２と通信を行う通信部１０１と、ネットワークの負荷情報を取得して記憶する記憶部１０２と、制御部１０３とを有する。制御部１０３は、ＵＥ２から複数のセルの無線品質の測定結果およびＵＥ２のバッテリー２０４の状態を示す情報を受信し、無線品質の測定結果、バッテリー２０４の状態および負荷情報に基づいて、ＵＥ２の無線品質の測定対象の信号を決定する。そして、制御部１０３は、測定対象として決定した信号をＵＥ２に通知する。
【００５０】
そのため、ＵＥ２のバッテリー２０４の状態だけでなく、ネットワーク負荷も考慮して、ＵＥ２の無線品質の測定対象を制御し、ＵＥ２の消費電力の増大を抑制することができる。
また、ネットワーク負荷を考慮して無線品質の測定対象を制御することで、利用可能な無線資源が多いセルの信号を無線品質の測定対象とすることができ、ＵＥ２のハンドオーバの成功率を向上させることができる。
また、ネットワーク負荷を考慮して無線品質の測定対象を制御することで、負荷が他のネットワークと比較して少ないネットワークにおけるセルを接続先として選択することができ、スループットの向上を図ることができる。
また、通信方式や周波数の異なる複数のセルの信号のうち、一部の信号だけを測定対象とすることで、干渉を抑制し、無線通信システム１全体のスループットを向上させることができる。
【００５１】
なお、本実施形態においては、無線通信システム１は、Ｅ−ＵＴＲＡＮ３，ＵＴＲＡＮ４，ＧＳＭ５およびＷＬＡＮ６を備える例を用いて説明したがこれに限られるものではなく、無線通信システム１は、上述した複数のネットワークの一部だけを備えていてもよい。例えば、無線通信システム１は、ＧＳＭ５およびＷＬＡＮ６だけを備えていてもよい。
【００５２】
（第２の実施形態）
図９は、本発明の第２の実施形態に係る無線通信システム１ａの構成を示す図である。
本実施形態の無線通信システム１ａは、第１の実施形態の無線通信システム１と比較して、ＨｅＮＢ１１およびＨｅＮＢ−ＧＷ１２を削除した点と、ｅＮＢ３０を追加した点と、が異なる。
ｅＮＢ３０は、セルを形成する無線基地局である。ｅＮＢ３０は、自身が形成するセルに在圏するＵＥ２とＬＴＥ方式で無線通信を行う。ここで、本実施形態においては、ｅＮＢ３０とＵＥ２と間でＣＡが行われているものとする。
【００５３】
次に、ｅＮＢ３０の構成について説明する。
図１０は、ｅＮＢ３０の要部構成を示すブロック図である。
図１０に示すｅＮＢ３０は、通信部３０１と、記憶部３０２と、制御部３０３とを有する。記憶部３０２は、取得部の一例である。
通信部３０１は、ＵＥ２と無線通信を行う。
記憶部３０２は、負荷情報など種々の情報を記憶する。
制御部３０３は、通信部３０１を介して、無線品質の測定結果およびＵＥ２のバッテリー２０４の状態を示す情報をＵＥ２から受信する。制御部３０３は、受信した情報に示される無線品質の測定結果、ＵＥ２のバッテリー２０４の状態および記憶部３０２に記憶されている負荷情報に基づき、ＵＥ２の無線品質の測定対象のＣＣを決定する。そして、制御部３０３は、通信部３０１を介して、測定対象として決定したＣＣを示すメッセージをＵＥ２に送信する。
【００５４】
次に、ｅＮＢ３０およびＵＥ２の動作について説明する。
なお、以下では、図１１に示すように、ｅＮＢ３０が、単位周波数帯域であるＣＣを２つ含む周波数帯域Ａを使用するＥ−ＵＴＲＡＮセル３０ａとＣＣを３つ含む周波数帯域Ｂを使用するＥ−ＵＴＲＡＮセル３０ｂとを形成しているものとする。また、ＵＥ２は、Ｅ−ＵＴＲＡＮセル３０ａに在圏しＲＲＣ接続を確立しているが、Ｅ−ＵＴＲＡＮセル３０ｂのカバレッジにも含まれているものとする。
【００５５】
図１２は、ｅＮＢ３０およびＵＥ２の動作を示すシーケンス図である。
まず、ｅＮＢ３０の制御部３０３は、通信部３０１を介してＵＥ２に、測定報告を要求する（ステップＳ３１）。ここで、制御部３０３は、Ｅ−ＵＴＲＡＮセル３０ａ，３０ｂの無線品質の測定を要求する。また、記憶部３０２は事前に負荷情報を取得し、記憶している。なお、取得する負荷情報の内容や、負荷情報の取得の方法は、第１の実施形態と同様であるため、説明を省略する。
【００５６】
ｅＮＢ３０から測定報告が要求されると、ＵＥ２の制御部２０５は、測定報告で指定されたＥ−ＵＴＲＡＮセル３０ａ，３０ｂにおいて送信される信号の無線品質を測定部２０２に測定させる（ステップＳ３２）。なお、上述したように、Ｅ−ＵＴＲＡＮセル３０ａでは、ＣＣを２つ含む周波数帯域Ａが使用され、Ｅ−ＵＴＲＡＮセル３０ｂでは、ＣＣを３つ含む周波数帯域Ｂが使用されている。測定部２０２は、各セルの周波数帯域でＣＣごとに無線品質を測定する。
制御部２０５は、測定部２０２の測定結果（各セルの無線品質）を記憶部２０３に記憶させる。また、制御部２０５は、バッテリー２０４の状態（残量）を測定し、測定結果を記憶部２０３に記憶させる。
【００５７】
次に、制御部２０５は、通信部２０１を介して、記憶部２０３に記憶されている各セルの無線品質の測定結果およびバッテリー２０４の状態（残量）を示す情報を測定報告としてｅＮＢ３０に送信する（ステップＳ３３）。なお、制御部２０５は、第１の実施形態と同様に、無線品質の測定報告（ＭｅａｓＲｅｓｕｌｔｓ  ｉｎｆｏｒｍａｔｉｏｎ）に、バッテリー２０４の残量を百分率で示すｂａｔｔｅｒｙ  Ｌｅｖｅｌというパラメータを追加した情報を送信する。
【００５８】
ｅＮＢ３０の制御部３０３は、通信部３０１を介してＵＥ２から送信されてきた測定報告を受信すると、受信した測定報告を記憶部３０２に記憶させる。そして、制御部３０３は、記憶部３０２に記憶されている測定報告と負荷情報とに基づき、ＵＥ２に使用させるＣＣを決定する。例えば、制御部３０３は、ＵＥ２のバッテリー２０４の残量が少ない場合、Ｅ−ＵＴＲＡＮ３０ｂで使用される周波数帯域Ｂに含まれるＣＣを使用させず、Ｅ−ＵＴＲＡＮ３０ａで使用される周波数帯域Ａに含まれるＣＣを１つだけ使用させると決定する。また、制御部３０３は、例えば、Ｅ−ＵＴＲＡＮ３０ｂの無線品質が悪い場合やＥ−ＵＴＲＡＮセル３０ｂで利用可能な無線資源が少ない場合には、周波数帯域Ｂに含まれるＣＣを使用させないと決定する。
制御部３０３は、使用させると決定したＣＣを、ＵＥ２の無線品質の測定対象のＣＣとして決定し、記憶部３０２に記憶させる。
【００５９】
次に、制御部３０３は、通信部３０１を介して、記憶部３０２に記憶されている、ＵＥ２の無線品質の測定対象として決定したＣＣを通知する（ステップＳ３５）。すなわち、制御部３０３は、通信部３０１を介して、無線品質の測定対象として決定したＣＣを示すメッセージをＵＥ２に送信する。
【００６０】
ＵＥ２の制御部２０５は、通信部２０１を介して、無線品質の測定対象のＣＣが通知されると、通知されたＣＣを記憶部２０３に記憶させる。そして、制御部２０５は、記憶部２０３に記憶されたＣＣの無線品質を測定部２０２に測定させる。また、制御部２０５は、通信部２０１に、記憶部２０３に記憶されたＣＣでｅＮＢ３０との通信を継続させる。
【００６１】
このように本実施形態によれば、ｅＮＢ３０は、ＵＥ２と通信を行う通信部３０１と、ネットワークの負荷情報を取得して記憶する記憶部３０２と、制御部３０３とを有する。制御部３０３は、ＣＡが行われる場合、ＵＥ２からセルの無線品質の測定結果およびバッテリー２０４の状態を示す情報を受信し、無線品質の測定結果、バッテリー２０４の状態および負荷情報に基づいて、ＵＥ２の無線品質の測定対象のＣＣを決定する。そして、制御部３０３は、測定対象として決定したＣＣをＵＥ２に通知する。
【００６２】
そのため、ＵＥ２のバッテリー２０４の状態だけでなく、ネットワーク負荷も考慮して、ＵＥ２の無線品質の測定対象のＣＣを制御し、ＵＥ２の消費電力の増大の抑制を図ることができる。
また、ＣＡで用いられるＣＣのうち、一部のＣＣだけを測定対象とすることで、干渉を抑制し、無線通信システム１ａ全体のスループットを向上させることができる。
【００６３】
（第３の実施形態）
図１３は、本発明の第３の実施形態に係る無線通信システム１ｂの構成を示す図である。本実施形態の無線通信システム１ｂは、第２の実施形態の無線通信システム１ａと比較して、ｅＮＢ３０をｅＮＢ３１に変更した点と、（Ｈ）ｅＮＢ１３をｅＮＢ３２に変更した点とが異なる。
ｅＮＢ３１，３２は、セルを形成する無線基地局である。ｅＮＢ３１，３２は、自身が形成するセルに在圏するＵＥ２とＵｕインタフェースを介してＬＴＥ方式で無線通信を行う。なお、本実施形態においては、ＵＥ２は、ｅＮＢ３１，３２と同時に接続し、ｅＮＢ３１をＭｅＮＢとし、ｅＮＢ３２をＳｅＮＢとしてＤＣを行っているものとする。以下では、ｅＮＢ３１をＭｅＮＢ３１と称し、ｅＮＢ３２をＳｅＮＢ３２と称する。
【００６４】
次に、ＭｅＮＢ３１の構成について説明する。なお、ＳｅＮＢ３２の構成は、ＭｅＮＢ３１の構成と同様であるため、説明を省略する。
図１４は、ＭｅＮＢ３１の要部構成を示すブロック図である。
図１４に示すＭｅＮＢ３１は、通信部４０１と、記憶部４０２と、制御部４０３とを有する。記憶部４０２は、取得部の一例である。
通信部４０１は、ＵＥ２と無線通信を行う。
記憶部４０２は、負荷情報など種々の情報を記憶する。
制御部４０３は、通信部４０１を介して、無線品質の測定結果およびＵＥ２のバッテリー２０４の状態を示す情報をＵＥ２から受信する。制御部４０３は、受信した情報に示される無線品質の測定結果、ＵＥ２のバッテリー２０４の状態および記憶部４０２に記憶されている負荷情報に基づき、ＵＥ２の無線品質の測定対象の信号を決定する。そして、制御部４０３は、通信部４０１を介して、測定対象として決定した信号を示すメッセージをＵＥ２に送信する。
【００６５】
次に、ＭｅＮＢ３１およびＵＥ２の動作について説明する。
以下では、図１５に示すように、ＭｅＮＢ３１はｓｅｒｖｉｎｇ  ｃｅｌｌ群（以下、ＭＣＧ：Ｍａｓｔｅｒ  Ｃｅｌｌ  Ｇｒｏｕｐと称する）３１ａを形成しているものとする。また、ＳｅＮＢ３２は、ｓｅｒｖｉｎｇ  ｃｅｌｌ群（以下、ＳＣＧ：Ｓｅｃｏｎｄａｒｙ  Ｃｅｌｌ  Ｇｒｏｕｐと称する）３２ａを形成しているものとする。また、ＵＥ２は、ＭＣＧ３１ａのカバレッジに存在するとともに、ＳＣＧ３２ａのカバレッジに存在し、ＭｅＮＢ３１およびＳｅＮＢ３２と接続を確立して、ＤＣを行っているものとする。また、以下では、ＭＣＧ３１ａでは周波数αが使用され、ＳＣＧ３２ａでは周波数βが使用されているものとする。
【００６６】
図１６は、ＭｅＮＢ３１およびＵＥ２の動作を示すシーケンス図である。
まず、ＭｅＮＢ３１の制御部４０３は、通信部４０１を介してＵＥ２に、測定報告を要求する（ステップＳ４１）。ここで、制御部４０３は、ＭＣＧ３１ａおよびＳＣＧ３２ａにおいて送信される信号の無線品質の測定を要求する。また、記憶部４０２は事前に、負荷情報を取得し、記憶している。なお、取得する負荷情報の内容や、負荷情報の取得の方法は、第１の実施形態と同様であるため、説明を省略する。
【００６７】
ＭｅＮＢ３１から測定報告が要求されると、ＵＥ２の制御部２０５は、測定報告で指定されたＭＣＧ３１ａおよびＳＣＧ３２ａにおいて送信される信号の無線品質を測定部２０２に測定させる（ステップＳ４２）。
制御部２０５は、測定部２０２の測定結果（ＭＣＧ３１ａおよびＳＣＧ３２ａにおいて送信される信号の無線品質）を記憶部２０３に記憶させる。また、制御部２０５は、バッテリー２０４の状態（残量）を測定し、測定結果を記憶部２０３に記憶させる。
【００６８】
次に、制御部２０５は、通信部２０１を介して、記憶部２０３に記憶されている無線品質の測定結果およびバッテリー２０４の状態（残量）を示す情報を測定報告としてＭｅＮＢ３１に送信する（ステップＳ４３）。なお、制御部２０５は、第１の実施形態と同様に、無線品質の測定報告（ＭｅａｓＲｅｓｕｌｔｓ  ｉｎｆｏｒｍａｔｉｏｎ）に、バッテリー２０４の残量を百分率で示すｂａｔｔｅｒｙ  Ｌｅｖｅｌというパラメータを追加した情報を送信する。
【００６９】
ＭｅＮＢ３１の制御部４０３は、通信部４０１を介してＵＥ２から送信されてきた測定報告を受信すると、受信した測定報告を記憶部４０２に記憶させる。そして、制御部４０３は、記憶部４０２に記憶されている測定報告と負荷情報とに基づき、ＵＥ２にＳＣＧ３２ａの使用を許可するか否かを決定する。例えば、制御部４０３は、バッテリー２０４の残量が少ない場合や、ＳＣＧ３２ａで利用可能な無線資源が少ない場合には、ＳＣＧ３２ａの使用を許可しないと決定する。なお、例えば、ＵＥ２がＤＣを行い、ＶｏＬＴＥ（Ｖｏｉｃｅ  ｏｖｅｒ  ＬＴＥ）のようなデータの送受信量が少ないサービスを利用している場合には、制御データおよびユーザデータの両方をＭｅＮＢ３１と送受信するようにしても問題はない。こうすることで、ＭｅＮＢ３１およびＳｅＮＢ３２の両方への、ＡＣＫ／ＮＡＣＫの送信やＭＣＧ３１ａおよびＳＣＧ３２ａにおける無線品質の測定が不要となるため、ＵＥ２の消費電力の低減を図ることができる。
【００７０】
制御部４０３は、ＳＣＧ３２ａの使用を許可しないと決定した場合には、ＳＣＧ３２ａの使用を許可しない旨およびＭＣＧ３１ａにおいて送信される周波数αの信号をＵＥ２の無線品質の測定対象の信号として決定した旨を記憶部４０２に記憶させる。また、制御部４０３は、ＳＣＧ３２ａの使用を許可すると決定した場合には、ＭＣＧ３１ａにおいて送信される周波数αの信号およびＳＣＧ３２ａにおいて送信される周波数βの信号をＵＥ２の無線品質の測定対象の信号として決定した旨を記憶部４０２に記憶させる。
【００７１】
次に、制御部４０３は、通信部４０１を介して、記憶部４０２に記憶されている、ＵＥ２の無線品質の測定対象として決定した信号を通知する（ステップＳ４５）。具体的には、制御部４０３は、ＳＣＧ３２ａの使用を許可すると決定した場合には、無線品質の測定対象として決定したＭＣＧ３１ａにおいて送信される周波数αの信号およびＳＣＧ３２ａにおいて送信される周波数βの信号を示すメッセージを送信する。また、制御部４０３は、ＳＣＧ３２ａの使用を許可しないと決定した場合には、無線品質の測定対象として決定したＭＣＧ３１ａにおいて送信される周波数αの信号およびＳＣＧ３２ａの使用を許可しない旨を示すメッセージを送信する。以下では、制御部４０３は、ＳＣＧ３２ａの使用を許可しないと決定したとする。
【００７２】
ＵＥ２の制御部２０５は、通信部２０１を介して、無線品質の測定対象の信号（ＭＣＧ３１ａにおいて送信される周波数αの信号）が通知されると、通知された信号を記憶部２０３に記憶させる。また、制御部２０５は、ＳＣＧ３２ａの使用を許可しない旨が通知されたため、ＳＣＧ３２ａを使用しない旨を記憶部２０３に記憶させる。そして、制御部２０５は、通信部２０１にＳｅＮＢ３２との接続を解放させるとともに、ＭＣＧ３１ａにおいて送信される周波数αの信号の無線品質を測定部２０２に測定させる。
【００７３】
このように本実施形態によれば、ＭｅＮＢ３１は、ＵＥ２と通信を行う通信部４０１と、ネットワークの負荷情報を取得して記憶する記憶部４０２と、制御部４０３とを有する。制御部４０３は、ＵＥ２からＭＣＧ３１ａおよびＳＣＧ３２ａの無線品質の測定結果およびＵＥ２のバッテリー２０４の状態を示す情報を受信し、無線品質の測定結果、バッテリー２０４の状態および負荷情報に基づいて、ＳＣＧ３２ａの使用の可否を決定する。そして、制御部４０３は、その決定に応じてＵＥ２の無線品質の測定対象の信号を決定し、測定対象として決定した信号をＵＥ２に通知する。
【００７４】
そのため、ＵＥ２のバッテリー２０４の状態だけでなく、ネットワーク負荷も考慮して、ＳＣＧ３２ａを使用の可否を決定し、その決定に応じて、ＵＥ２の無線品質の測定対象の信号を決定することで、ＵＥ２の消費電力の増大の抑制を図ることができる。
また、ＵＥ２が測定対象とする信号の周波数帯域を減らすことで、干渉を抑制し、無線通信システム１ｂ全体のスループットを向上させることができる。
【００７５】
なお、第１の実施形態においては、ＨｅＮＢ１１は、ＵＥ２から無線品質の測定結果を取得する例を用いて説明したが、これに限られるものではない。変形例として、図１７に示すように、ＨｅＮＢ１１が各ネットワークのセルの無線品質を測定する測定部１０４を有し、制御部１０３は、測定部１０４から無線品質の測定結果を取得してもよい。
【００７６】
また、第１の実施形態においては、ＨｅＮＢ１１は、ＲＲＣ接続を確立しているＵＥ２に対して測定要求を送信する例を用いて説明したが、これに限られるものではない。変形例として、ＨｅＮＢ１１は、自身が形成するセルの報知情報を用いて、セルに在圏するＲＲＣ接続を確立していないＵＥにも測定要求を送信してもよい。
また、第１の実施形態において、ＨｅＮＢ１１は、Ｏ＆Ｍ（Ｏｐｅｒａｔｉｏｎ＆Ｍａｉｎｔｅｎａｎｃｅ）手順に従い、自身が形成するセルの隣接セルとしてＷＬＡＮセル２７ａが登録されているか否かを判定してもよい。そして、ＨｅＮＢ１１は、ＷＬＡＮセル２７ａにおいて送信される信号を、ＷＬＡＮセル２７ａが登録されていれば測定対象とし、ＷＬＡＮセル２７ａが登録されていなければ測定対象としないこととしてもよい。
【００７７】
また、第１ないし第３の実施形態においては、コアネットワークおよび無線アクセスネットワークの負荷を考慮して、ＵＥ２の無線品質の測定対象を決定する例を用いて説明したが、これに限られるものではない。変形例として、ハンドオーバ時に使用されるＸ２インタフェースのような無線基地局間のインタフェースの負荷や、ハンドオーバ先となりうるセルを形成する無線基地局のＣＰＵ（Ｃｅｎｔｒａｌ  Ｐｒｏｃｅｓｓｉｎｇ  Ｕｎｉｔ）の負荷などを考慮してもよい。これらの負荷が高い場合、ハンドオーバの成功率が低下する。そのため、接続するインタフェースの負荷やＣＰＵの負荷が高い無線基地局が形成するセルにおいて送信される信号を無線品質の測定対象としないようにすることで、ハンドオーバの成功率が低いセルへのハンドオーバの試行を減らすことができる。
【００７８】
また、変形例として、利用されているサービスの種類を評価関数の入力としてもよい。例えば、音声通話が利用されている場合には、ＧＳＭセル２４ａやＵＴＲＡＮセル２０ａの信号を測定対象とし、コンテンツを視聴させるストリーミングサービスが利用されている場合には、Ｅ−ＵＴＲＡＮセル１３ａ，１４ｂの信号を測定対象としてもよい。
【００７９】
また、変形例として、ＨｅＮＢ１１は、ＡＮＤＳＦ１８がＵＥ２に提供しているデータ（例えば、ポリシー）を、ｌｔｆ−Ｘインタフェースを介して受信し、このデータを評価関数への入力としてもよい。
【００８０】
また、第２の実施形態において、バッテリー２０４の残量に余裕がある場合には、ＵＥ２に使用させるＣＣを増加させてもよい。また、第３の実施形態において、ＳＣＧ３２ａの使用を許可しないと判定した後、バッテリー２０４の残量に余裕ができた場合には、ＳＣＧ３２ａの使用を許可してもよい。ＵＥ２に使用させるＣＣを増加させたり、ＳＣＧ３２ａの使用を許可したりすることで、スループットの向上を図ることができる。
【００８１】
また、第１から第３の実施形態においては、バッテリー２０４の状態に関する情報として、バッテリー２０４の残量を百分率で示すｂａｔｔｅｒｙ  Ｌｅｖｅｌというパラメータを使用する例を用いて説明したが、これに限られるものではない。変形例として、バッテリー２０４の残量の絶対値（放電容量（ｍＡｈ）や持続可能時間の予測値など）、製造年月日、種別、型番などを、バッテリー２０４の状態に関する情報として用いてもよい。また、ＵＥ２の製造元、機種、シリアル番号、ソフトウェアのリビジョンなどを含むＩＭＥＩＳＶ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ  Ｓｏｆｔｗａｒｅ  Ｖｅｒｓｉｏｎ）を評価関数の入力としてもよい。
そして、例えば、バッテリー２０４の残量の絶対値に余裕があっても機種や製造年月日、シリアル番号、ソフトウェアのリビジョンからＵＥ２が古い製品であり、消費電力が大きいことが分かれば、バッテリー２０４の残量をより低く評価するなどしてもよい。
【００８２】
また、第１から第３の実施形態においては、ＵＥ２は、無線基地局からの測定要求の受信に応じて、無線品質の測定結果とともにバッテリー２０４の状態に関する情報を報告する例を用いて説明したが、これに限られるものではない。変形例として、ＵＥ２は、バッテリー２０４の残量が所定の閾値以上となった、あるいは、所定の閾値以下となったことを契機として、バッテリー２０４の状態に関する情報を送信するようにしてもよい。
【００８３】
また、第１から第３の実施形態においては、バッテリー２０４の状態に関する情報（ｂａｔｔｅｒｙ  Ｌｅｖｅｌ）がＵＥ２から無線基地局に通知される例を用いて説明したが、これに限られるものではない。本発明がＵＴＲＡＮに適用される場合には、３ＧＰＰ  ＴＳ２５．３３１  ｖ１２．１．０で適されているメッセージに、図１８に示すように、ｂａｔｔｅｒｙ  Ｌｅｖｅｌというパラメータ（図１８の点線部分）を追加してもよい。
【００８４】
また、第１の実施形態においては、ＬＴＥに則して説明したが、本発明は、ＵＴＲＡＮ，ＧＳＭ，ＷＬＡＮ，ＣＤＭＡ（Ｃｏｄｅ  Ｄｉｖｉｓｉｏｎ  Ｍｕｌｔｉｐｌｅ  Ａｃｃｅｓｓ）２０００などの他のネットワークに適用してもよい。
【００８５】
また、第１から第３の実施形態において、ＭＩＭＯ（Ｍｕｌｔｉ  ｉｎｐｕｔ  Ｍｕｌｔｉ  Ｏｕｔｐｕｔ）が用いられる場合には、評価関数の出力に応じて、使用するアンテナの本数を減らすようにしてもよい。こうすることで、ＵＥ２の消費電力の低減を図ることができる。
【００８６】
また、ＬＴＥ−Ａｄｖａｎｃｅｄでは３Ｄ  ｂｅａｍｆｏｒｍｉｎｇという技術が検討されている。この技術は、水平および垂直方向のビーム形成でセル間干渉を軽減し、かつ、同一セル内のＵＥ２間で別ビームを形成する技術である。第１から第３の実施形態において、３Ｄ  ｂｅａｍｆｏｒｍｉｎｇが用いられる場合には、評価関数の出力に応じて、生成されるビームの形状を制御してもよい。例えば、バッテリー２０４の残量が多ければビームの形状を太くし、バッテリー２０４の残量が少なければビームの形状を小さくしてもよい。こうすることで、ＵＥ２の消費電力の低減を図ることができる。
【００８７】
また、第３の実施形態においては、ＵＥ２は、ＳｅＮＢ３２との接続を解放し、ＭｅＮＢ３１との通信を継続する例を用いて説明したが、これに限られるものではない。変形例として、ＵＥ２は、ＭｅＮＢ３１とＵＥ２との接続を開放し、ＳｅＮＢ３２との接続を継続が継続されてもよい。
【００８８】
また、第１から第３の実施形態においては、ＵＥ２は、測定対象の信号を通知するメッセージの受信に応じて、そのメッセージに従った処理を行う例を用いて説明したが、これに限られるものではない。例えば、無線基地局がメッセージにタイマーを含め、ＵＥ２は、メッセージの受信後、タイマーを起動し、タイマーが満了したら、メッセージに従った処理を行うようにしてもよい。また、無線基地局がメッセージにタイマーとカウンタの閾値とを含める。ＵＥ２は、メッセージの受信後、タイマーを起動し、タイマーが満了したらカウンタの値をインクリメントしてからメッセージに従った処理を行い、処理後、再度タイマーを起動するという処理を、カウンタの値が閾値を超えるまで繰り返してもよい。
また、第１から第３の実施形態を適宜、組み合わせてもよい。
【００８９】
本発明の無線基地局および移動局（ＵＥ）にて行われる方法は、コンピュータに実行させるためのプログラムに適用してもよい。また、そのプログラムを記憶媒体に格納することも可能であり、ネットワークを介して外部に提供することも可能である。
【００９０】
上記の実施形態の一部または全部は、以下の付記のようにも記載されうるが、以下には限られない。
【００９１】
（付記１）
複数のセルそれぞれにおいて送信される信号の無線品質を測定する移動局と通信を行う通信部と、
前記セルを形成する無線基地局を含むネットワークの負荷に関する負荷情報を取得する取得部と、
前記移動局から前記通信部を介して、前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記通信部を介して、前記測定対象として決定した信号を通知する制御部と、を有することを特徴とする無線基地局。
【００９２】
（付記２）
前記複数のセルそれぞれにおいて送信される信号は、異なる通信方式の信号であり、
前記制御部は、前記移動局の無線品質の測定対象の信号を決定し、前記移動局に前記通信部を介して、前記測定対象の信号の通信方式および前記測定対象の信号の周波数帯域の少なくとも一方を示すメッセージを送信することを特徴とする付記１記載の無線基地局。
【００９３】
（付記３）
前記複数のセルそれぞれにおいて送信される信号は、単位周波数帯域であるコンポーネントキャリアを１または複数含む所定の周波数帯域の信号であり、
前記制御部は、前記移動局の無線品質の測定対象のコンポーネントキャリアを決定し、前記移動局に前記通信部を介して、前記測定対象のコンポーネントキャリアを示すメッセージを送信することを特徴とする付記１記載の無線基地局。
【００９４】
（付記４）
前記複数のセルそれぞれにおいて送信される信号は、前記移動局が接続している複数のセルそれぞれからの信号であり、
前記制御部は、前記移動局の無線品質の測定対象の信号を決定し、前記移動局に前記通信部を介して、前記測定対象の信号の周波数帯域および前記測定対象でない信号が送信されるセルとの接続を解放する旨の少なくとも一方を示すメッセージを送信することを特徴とする付記１記載の無線基地局。
【００９５】
（付記５）
バッテリーと、
無線基地局と通信を行う通信部と、
複数のセルそれぞれにおいて送信される信号の無線品質を測定する測定部と、
前記通信部を介して、前記測定部の前記複数のセルそれぞれにおいて送信される信号の無線品質の測定結果および前記移動局のバッテリーの状態を示す情報を前記無線基地局に送信し、前記通信部を介して前記無線基地局から、無線品質の測定対象の信号が通知されると、前記測定部に前記通知された信号の無線品質を測定させる制御部と、を有することを特徴とする移動局。
【００９６】
（付記６）
前記複数のセルそれぞれにおいて送信される信号は、異なる通信方式の信号であり、
前記制御部は、前記通信部を介して前記無線基地局から、測定対象の信号の通信方式および前記測定対象の信号の周波数帯域の少なくとも一方を示すメッセージを受信すると、前記測定部に前記メッセージに示される通信方式または周波数帯域の信号の無線品質を測定させることを特徴とする付記５記載の移動局。
【００９７】
（付記７）
前記複数のセルそれぞれにおいて送信される信号は、単位周波数帯域であるコンポーネントキャリアを１または複数含む所定の周波数帯域の信号であり、
前記制御部は、前記通信部を介して前記無線基地局から、測定対象のコンポーネントキャリアを示すメッセージを受信すると、前記測定部に前記メッセージに示されるコンポーネントキャリアの無線品質を測定させることを特徴とする付記５記載の移動局。
【００９８】
（付記８）
前記複数のセルそれぞれにおいて送信される信号は、前記移動局が接続している複数のセルそれぞれからの信号であり、
前記制御部は、前記通信部を介して前記無線基地局から、前記測定対象の信号の周波数帯域および測定対象でない信号が送信されるセルとの接続を停止する旨の少なくとも一方を示すメッセージを受信すると、前記測定部に前記メッセージに示される信号の無線品質を測定させるとともに、前記通信部に測定対象でない信号が送信されるセルとの接続を解放させることを特徴とする付記５記載の移動局。
【００９９】
（付記９）
移動局と、前記移動局と通信を行う無線基地局とを備え、
前記移動局は、複数のセルそれぞれにおいて送信される信号の無線品質を測定し、前記複数のセルそれぞれにおいて送信される信号の無線品質の測定結果および前記移動局のバッテリーの状態を示す情報を前記無線基地局に送信し、
前記無線基地局は、前記セルを形成する無線基地局を含むネットワークの負荷に関する負荷情報を取得し、前記移動局から送信されてきた前記無線品質の測定結果、前記移動局のバッテリーの状態、および、前記取得した負荷情報に基づいて、前記移動局の無線品質の測定対象の信号を決定し、該決定した測定対象の信号を前記移動局に通知し、
前記移動局は、前記無線基地局から通知された信号の無線品質を測定することを特徴とする無線通信システム。
【０１００】
（付記１０）
前記複数のセルそれぞれにおいて送信される信号は、異なる通信方式の信号であり、
前記無線基地局は、前記移動局の無線品質の測定対象の信号を決定し、前記測定対象の信号の通信方式および前記測定対象の信号の周波数帯域の少なくとも一方を示すメッセージを前記移動局に送信し、
前記移動局は、前記無線基地局から、前記測定対象の信号の通信方式および前記測定対象の信号の周波数帯域の少なくとも一方を示すメッセージを受信すると、該メッセージに示される通信方式または周波数帯域の信号の無線品質を測定することを特徴とする付記９記載の無線通信システム。
【０１０１】
（付記１１）
前記複数のセルそれぞれにおいて送信される信号は、単位周波数帯域であるコンポーネントキャリアを１または複数含む所定の周波数帯域の信号であり、
前記無線基地局は、前記移動局の無線品質の測定対象のコンポーネントキャリアを決定し、前記測定対象のコンポーネントキャリアを示すメッセージを前記移動局に送信し、
前記移動局は、前記無線基地局から、前記測定対象のコンポーネントキャリアを示すメッセージを受信すると、該メッセージに示されるコンポーネントキャリアの無線品質を測定することを特徴とする付記９記載の無線通信システム。
【０１０２】
（付記１２）
前記複数のセルそれぞれにおいて送信される信号は、前記移動局が接続している複数のセルそれぞれからの信号であり、
前記無線基地局は、前記移動局の無線品質の測定対象の信号を決定し、前記測定対象の信号の周波数帯域および前記測定対象でない信号が送信されるセルとの接続を解放する旨の少なくとも一方を示すメッセージを送信し、
前記移動局は、前記無線基地局から、前記測定対象の信号の周波数帯域および測定対象でない信号が送信されるセルとの接続を停止する旨の少なくとも一方を示すメッセージを受信すると、該メッセージに示される信号の無線品質を測定するとともに、前記測定対象でない信号が送信されるセルとの接続を解放することを特徴とする付記９記載の無線通信システム。
【０１０３】
（付記１３）
複数のセルそれぞれにおいて送信される信号の無線品質を測定する移動局と通信を行い、
前記セルを形成する無線基地局を含むネットワークの負荷に関する負荷情報を取得し、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記測定対象として決定した信号を通知することを特徴とする無線基地局の制御方法。
【０１０４】
（付記１４）
無線基地局内のコンピュータに、
複数のセルそれぞれにおいて送信される信号の無線品質を測定する移動局と通信を行う処理と、
前記セルを形成する無線基地局を含むネットワークの負荷に関する負荷情報を取得する処理と、
前記移動局から前記複数のセルそれぞれにおいて送信される信号の無線品質の測定結果および前記移動局のバッテリーの状態を示す情報を受信し、該受信した情報に示される無線品質の測定結果、前記移動局のバッテリーの状態、および、前記取得部が取得した負荷情報に基づいて、前記移動局の無線品質の測定対象の信号を決定し、前記移動局に前記測定対象として決定した信号を通知する処理と、を実行させることを特徴とするプログラム。
【０１０５】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１４年９月３０日に出願された日本出願特願２０１４−１９９７３３を基礎とする優先権を主張し、その開示の全てをここに取り込む。
【符号の説明】
【０１０６】
１    無線通信システム
２    ＵＥ
３    Ｅ−ＵＴＲＡＮ
４    ＵＴＲＡＮ
５    ＧＳＭ
６    ＷＬＡＮ
１１    ＨｅＮＢ
１２    ＨｅＮＢ−ＧＷ
１３，１４    （Ｈ）ｅＮＢ
１５    Ｘ２−ＧＷ
１６    ＥＰＣ
１７，２９    ＰＧＷ
１８    ＡＮＤＳＦ
１９    ＮｏｄｅＢ
２０    ＨＮＢ
２１    ＨＮＢ−ＧＷ
２２    ＲＮＣ
２３    ３ＧＣＮ
２４    ＢＴＳ
２５    ＢＳＣ
２６    ＧＣＮ
２７    ＷＬＡＮ  ＡＰ
２８    ｅＰＤＧ
３０    ｅＮＢ
３１    ＭｅＮＢ
３２    ＳｅＮＢ
１０１，３０１，４０１    通信部
１０２，３０２，４０２    記憶部
１０３，３０３，４０３    制御部
２０１    通信部
２０２    測定部
２０３    記憶部
２０４    バッテリー
２０５    制御部
【図１】
0006471755.tif 000002
【図２】
0006471755.tif 000003
【図３】
0006471755.tif 000004
【図４】
0006471755.tif 000005
【図５】
0006471755.tif 000006
【図６】
0006471755.tif 000007
【図７】
0006471755.tif 000008
【図８】
0006471755.tif 000009
【図９】
0006471755.tif 000010
【図１０】
0006471755.tif 000011
【図１１】
0006471755.tif 000012
【図１２】
0006471755.tif 000013
【図１３】
0006471755.tif 000014
【図１４】
0006471755.tif 000015
【図１５】
0006471755.tif 000016
【図１６】
0006471755.tif 000017
【図１７】
0006471755.tif 000018
【図１８】
0006471755.tif 000019